【手続補正書】
【提出日】令和2年11月4日(2020.11.4)
【手続補正１】
【補正対象書類名】特許請求の範囲
【補正対象項目名】全文
【補正方法】変更
【補正の内容】
【特許請求の範囲】
【請求項１】
通信方法であって、
第１ネットワークデバイスにより、接続確立要求メッセージを第２ネットワークデバイスに送信する段階と、
前記第１ネットワークデバイスにより、前記第２ネットワークデバイスにより返される接続確立応答メッセージを受信する段階と
を備え、前記接続確立応答メッセージは、
前記第２ネットワークデバイスにより含められるセルを含むセルリストと、
前記セルリストにある各セルの周波数と、
前記セルリストにある各セルの物理セル識別子と、
前記セルリストにある各セルのセルグローバル識別子と、
非独立セル又は独立セルである前記セルリストにある各セルに関する情報と、
セルシステム情報が送信されず、かつ、前記セルリストにあるセルと
のうちの少なくとも１つを含む、方法。
【請求項２】
前記方法は、
前記第１ネットワークデバイスにより、要求メッセージを端末デバイスに送信する段階であって、前記要求メッセージは第１周波数及び第１物理セル識別子（第１ＰＣＩ）を含み、前記要求メッセージは第１セルのセルグローバル識別子を要求するために用いられ、前記第１セルは、周波数が前記第１周波数であり、かつ、前記第１ＰＣＩにより示されるセルである、段階をさらに備え、
前記第２ネットワークデバイスは前記第１セルの前記セルグローバル識別子により示されるターゲットネットワークデバイスである、請求項１に記載の方法。
【請求項３】
前記方法は、
前記第１ネットワークデバイスにより、前記要求メッセージに対して返される応答メッセージを受信する段階をさらに備え、前記応答メッセージは前記第１セルの前記セルグローバル識別子を含む、請求項２に記載の方法。
【請求項４】
前記非独立セルは、システム情報が送信されないセルである、又は、システム情報の一部が送信されるセルである、請求項１から３のいずれか一項に記載の方法。
【請求項５】
前記非独立セルの同期信号ブロック（ＳＳＢ）は、システム情報ブロック（ＳＩＢ１）の位置情報を搬送するＳＳＢであり、前記ＳＩＢ１は別のＳＩＢの位置情報を搬送しない、又は、前記非独立セルの同期信号ブロック（ＳＳＢ）は、前記ＳＩＢ１の前記位置情報を搬送しない、請求項１から４のいずれか一項に記載の方法。
【請求項６】
前記非独立セルはプライマリコンポーネントキャリアとして動作することができない、請求項１から５のいずれか一項に記載の方法。
【請求項７】
非独立セル又は独立セルである前記セルリストにある各セルに関する情報は、
前記セルリストにある各セルが非独立セルであるか否かに関する情報を有する、請求項１から６のいずれか一項に記載の方法。
【請求項８】
通信方法であって、
第２ネットワークデバイスにより、第１ネットワークデバイスから接続確立要求メッセージを受信する段階と、
前記第２ネットワークデバイスにより、前記第１ネットワークデバイスに接続確立応答メッセージを送信する段階と
を備え、前記接続確立応答メッセージは、
前記第２ネットワークデバイスにより含められるセルを含むセルリストと、
前記セルリストにある各セルの周波数と、
前記セルリストにある各セルの物理セル識別子と、
前記セルリストにある各セルのセルグローバル識別子と、
非独立セル又は独立セルである前記セルリストにある各セルに関する情報と、
セルシステム情報が送信されず、かつ、前記セルリストにあるセルと
のうちの少なくとも１つを含む、方法。
【請求項９】
前記非独立セルは、システム情報が送信されないセルである、又は、システム情報の一部が送信されるセルである、請求項８に記載の方法。
【請求項１０】
前記非独立セルの同期信号ブロック（ＳＳＢ）は、システム情報ブロック（ＳＩＢ１）の位置情報を搬送するＳＳＢであり、前記ＳＩＢ１は別のＳＩＢの位置情報を搬送しない、又は、前記非独立セルの同期信号ブロック（ＳＳＢ）は、前記ＳＩＢ１の前記位置情報を搬送しない、請求項８又は９に記載の方法。
【請求項１１】
前記非独立セルはプライマリコンポーネントキャリアとして動作することができない、請求項８から１０のいずれか一項に記載の方法。
【請求項１２】
非独立セル又は独立セルである前記セルリストにある各セルに関する情報は、
前記セルリストにある各セルが非独立セルであるか否かに関する情報を有する、請求項８から１１のいずれか一項に記載の方法。
【請求項１３】
通信装置であって、
接続確立要求メッセージを第２ネットワークデバイスに送信するように構成される通信モジュールを備え、
前記通信モジュールは、さらに、前記第２ネットワークデバイスにより返される接続確立応答メッセージを受信するように構成され、前記接続確立応答メッセージは、
前記第２ネットワークデバイスにより含められるセルを含むセルリストと、
前記セルリストにある各セルの周波数と、
前記セルリストにある各セルの物理セル識別子と、
前記セルリストにある各セルのセルグローバル識別子と、
非独立セル又は独立セルである前記セルリストにある各セルに関する情報と、
セルシステム情報が送信されず、かつ、前記セルリストにあるセルと
のうちの少なくとも１つを含む、装置。
【請求項１４】
前記通信モジュールは、さらに、要求メッセージを端末デバイスに送信するように構成され、前記要求メッセージは第１周波数及び第１物理セル識別子（第１ＰＣＩ）を含み、前記要求メッセージは第１セルのセルグローバル識別子を要求するために用いられ、前記第１セルは、周波数が前記第１周波数であり、かつ、前記第１ＰＣＩにより示されるセルであり、
前記第２ネットワークデバイスは前記第１セルの前記セルグローバル識別子により示されるターゲットネットワークデバイスである、請求項１３に記載の装置。
【請求項１５】
前記通信モジュールは、さらに、前記要求メッセージに対して返される応答メッセージを受信するように構成され、前記応答メッセージは前記第１セルの前記セルグローバル識別子を含む、請求項１４に記載の装置。
【請求項１６】
前記非独立セルは、システム情報が送信されないセルである、又は、システム情報の一部が送信されるセルである、請求項１３から１５のいずれか一項に記載の装置。
【請求項１７】
前記非独立セルの同期信号ブロック（ＳＳＢ）は、システム情報ブロック（ＳＩＢ１）の位置情報を搬送するＳＳＢであり、前記ＳＩＢ１は別のＳＩＢの位置情報を搬送しない、又は、前記非独立セルの同期信号ブロック（ＳＳＢ）は前記ＳＩＢ１の前記位置情報を搬送しない、請求項１３から１６のいずれか一項に記載の装置。
【請求項１８】
前記非独立セルはプライマリコンポーネントキャリアとして動作することができない、請求項１３から１７のいずれか一項に記載の装置。
【請求項１９】
非独立セル又は独立セルである前記セルリストにある各セルに関する情報は、
前記セルリストにある各セルが非独立セルであるか否かに関する情報を有する、請求項１３から１８のいずれか一項に記載の装置。
【請求項２０】
通信装置であって、
第１ネットワークデバイスから接続確立要求メッセージを受信するように構成される通信モジュールを備え、
前記通信モジュールは、さらに、前記第１ネットワークデバイスに接続確立応答メッセージを送信するように構成され、前記接続確立応答メッセージは、
第２ネットワークデバイスにより含められるセルを含むセルリストと、
前記セルリストにある各セルの周波数と、
前記セルリストにある各セルの物理セル識別子と、
前記セルリストにある各セルのセルグローバル識別子と、
非独立セル又は独立セルである前記セルリストにある各セルに関する情報と、
セルシステム情報が送信されず、前記セルリストにあるセルと
のうちの少なくとも１つを含む、装置。
【請求項２１】
前記非独立セルは、システム情報が送信されないセルである、又は、システム情報の一部が送信されるセルである、請求項２０に記載の装置。
【請求項２２】
前記非独立セルの同期信号ブロック（ＳＳＢ）は、システム情報ブロック（ＳＩＢ１）の位置情報を搬送するＳＳＢであり、前記ＳＩＢ１は別のＳＩＢの位置情報を搬送しない、又は、前記非独立セルの同期信号ブロック（ＳＳＢ）は前記ＳＩＢ１の前記位置情報を搬送しない、請求項２０又は２１に記載の装置。
【請求項２３】
前記非独立セルはプライマリコンポーネントキャリアとして動作することができない、請求項２０から２２のいずれか一項に記載の装置。
【請求項２４】
非独立セル又は独立セルである前記セルリストにある各セルに関する情報は、
前記セルリストにある各セルが非独立セルであるか否かに関する情報を有する、請求項２０から２３のいずれか一項に記載の装置。
【請求項２５】
コンピュータに、請求項１から７のいずれか一項に記載の方法を実行させるためのコンピュータプログラム。
【請求項２６】
コンピュータに、請求項８から１２のいずれか一項に記載の方法を実行させるためのコンピュータプログラム。
【手続補正２】
【補正対象書類名】明細書
【補正対象項目名】００２７
【補正方法】変更
【補正の内容】
【００２７】
実施例において、方法は、第１セルの同期信号ブロックにおけるブロードキャストチャネル上のコンテンツに基づいて、第１セルがセルグローバル識別子を有すると判定した場合、通信装置により、第１セルの同期チャネルブロックにおけるブロードキャストチャネル上のコンテンツに基づいて、第１システム情報ブロックＳＩＢ１を読み取る段階と、通信装置により、第１システム情報ブロックＳＩＢ１に基づいて、周波数オフセットに対応し、かつ、ＳＩＢ１にある周波数及び第１セルのセルグローバル識別子を取得する段階と、周波数オフセットに対応する周波数が第１周波数とは異なる場合、通信装置により、要求メッセージに対する応答メッセージを送信する段階であって、応答メッセージは周波数オフセットに対応する周波数及び第１セルのセルグローバル識別子を搬送し、周波数オフセットに対応する周波数は第１セルの同期チャネルの中央周波数として用いられる、段階とをさらに含む。セルがセルグローバル識別子を有している場合、通信装置は、さらに、ＳＩＢ１内の周波数オフセットに基づいてセルの同期チャネルの中央周波数を判定し、セルの同期チャネルの中央周波数及びセルグローバル識別子の両方を一緒に報告してよいことが分かり得る。
【手続補正３】
【補正対象書類名】明細書
【補正対象項目名】００４０
【補正方法】変更
【補正の内容】
【００４０】
さらに別の態様によれば、本願の本実施形態はチップシステムをさらに提供する。チップシステムは、プロセッサを含み、上述の態様における機能を実装するために、通信装置及び／又はネットワークデバイスにより用いられ、例えば、上述の方法でデータ及び／又は情報を生成又は処理する。可能な設計において、チップシステムはメモリをさらに含む。メモリは、通信装置及び／又はネットワークデバイスの機能を実装するために必要なプログラム命令及びデータを格納するように構成される。チップシステムは、チップを含んでよい、又は、チップ及び別のディスクリートコンポーネントを含んでよい。
【手続補正４】
【補正対象書類名】明細書
【補正対象項目名】００６４
【補正方法】変更
【補正の内容】
【００６４】
本願の本実施形態では、ネットワークデバイスは、代わりに、送受信ポイント（Ｔｒａｎｓｍｉｓｓｉｏｎ  Ｒｅｃｅｐｔｉｏｎ  Ｐｏｉｎｔ、ＴＲＰ）、無線リモートユニット（Ｒａｄｉｏ  Ｒｅｍｏｔｅ  Ｕｎｉｔ、ＲＲＵ）又は別のタイプのアクセスポイント（Ａｃｃｅｓｓ  Ｐｏｉｎｔ、ＡＰ）であってよい。例えば、基地局は、アクセスネットワーク内のエアインタフェースにある１つ又は複数の区域を通じて端末と通信するデバイスを指してよく、エアインタフェースの属性管理を調整してよい。例えば、基地局は、ＧＳＭ（登録商標）又はＣＤＭＡにおける基地局、例えば、ベーストランシーバ基地局（ｂａｓｅ  ｔｒａｎｓｃｅｉｖｅｒ  ｓｔａｔｉｏｎ、ＢＴＳ）であってよい、又は、ＷＣＤＭＡ（登録商標）における基地局、例えば、ＮｏｄｅＢであってよい、又は、ＬＴＥにおける進化型基地局、例えば、ｅＮＢ又はｅＮｏｄｅＢ（ｅｖｏｌｖｅｄ  ＮｏｄｅＢ）であってよい、又は、５ＧシステムにおけるｇＮＢ又は将来のネットワークにおける基地局などであってよい。これは本願において限定されるものではない。オプションとして、基地局は、中継デバイス又は基地局の機能を有する別のネットワークエレメントデバイスであってよい。
【手続補正５】
【補正対象書類名】明細書
【補正対象項目名】００６５
【補正方法】変更
【補正の内容】
【００６５】
本願の実施形態において、通信装置は、代わりに、端末又は無線端末であってよい。無線端末は、音声及び／又はデータ接続をユーザに提供するデバイス、無線接続機能を有するハンドヘルドデバイス、又は、無線モデムに接続される別の処理デバイスであってよい。無線端末は、無線アクセスネットワーク（例えば、ＲＡＮ、ｒａｄｉｏ  ａｃｃｅｓｓ  ｎｅｔｗｏｒｋ）通じて１つ又は複数のコアネットワークと通信し得る。例えば、通信装置は、代わりに、ユーザ機器であってよい。ユーザ機器は、モバイルフォン（又は、「セルラ」フォンと称される）又はモバイル端末を有するコンピュータなどのモバイル端末であってよい、又は、ポータブル、ポケットサイズ、ハンドヘルド、コンピュータ内蔵型又は車載モバイル装置、例えば、パーソナル通信サービス（Ｐｅｒｓｏｎａｌ  Ｃｏｍｍｕｎｉｃａｔｉｏｎｓ Ｓｅｒｖｉｃｅ、ＰＣＳ）電話、コードレス電話セット、セッション開始プロトコル（Ｓｅｓｓｉｏｎ  Ｉｎｉｔｉａｔｉｏｎ  Ｐｒｏｔｏｃｏｌ、ＳＩＰ）電話、無線ローカルループ（Ｗｉｒｅｌｅｓｓ  Ｌｏｃａｌ  Ｌｏｏｐ、ＷＬＬ）局、又は、パーソナルデジタルアシスタント（Ｐｅｒｓｏｎａｌ  Ｄｉｇｉｔａｌ  Ａｓｓｉｓｔａｎｔ、ＰＤＡ）であってよい。ユーザ機器は、無線アクセスネットワークと音声及び／又はデータを交換する。オプションとして、ユーザ機器は、移動局（Ｍｏｂｉｌｅ  Ｓｔａｔｉｏｎ、ＭＳ）、モバイル端末（ｍｏｂｉｌｅ  ｔｅｒｍｉｎａｌ）、加入者ユニット（Ｓｕｂｓｃｒｉｂｅｒ  Ｕｎｉｔ、ＳＵ）、加入者局（Ｓｕｂｓｃｒｉｂｅｒ  Ｓｔａｔｉｏｎ、ＳＳ）、リモート局（Ｒｅｍｏｔｅ  Ｓｔａｔｉｏｎ、ＲＳ）、アクセスポイント（Ａｃｃｅｓｓ  Ｐｏｉｎｔ、ＡＰ）、リモート端末（Ｒｅｍｏｔｅ  Ｔｅｒｍｉｎａｌ、ＲＴ）、アクセス端末（Ａｃｃｅｓｓ  Ｔｅｒｍｉｎａｌ、ＡＴ）、ユーザ端末（Ｕｓｅｒ  Ｔｅｒｍｉｎａｌ、ＵＴ）、ユーザエージェント（Ｕｓｅｒ  Ａｇｅｎｔ、ＵＡ）、又は、端末デバイス（Ｔｅｒｍｉｎａｌ  Ｄｅｖｉｃｅ、ＴＤ）などとも称され得る。これは本願において限定されるものではない。
【手続補正６】
【補正対象書類名】明細書
【補正対象項目名】００６７
【補正方法】変更
【補正の内容】
【００６７】
本願の実施形態において、非独立セルはシステム情報が送信されないセルである、又は、システム情報の一部のみが送信されるセルである。これに応じて、独立セルは、すべてのシステム情報が送信されるセルであり、独立セルは、完全なセル又は定義されたセルなどとも称され得る。ネットワークデバイスは、同期信号ブロックに基づいて、マスタ情報ブロック（Ｍａｓｔｅｒ  Ｉｎｆｏｒｍａｔｉｏｎ  Ｂｌｏｃｋ、ＭＩＢ）及び／又はシステム情報ブロック（Ｓｙｓｔｅｍ  Ｉｎｆｏｒｍａｔｉｏｎ  Ｂｌｏｃｋｓ、ＳＩＢ）を送信する場合が多い。ＭＩＢは、最も基本的な情報を搬送し、当該情報は、物理ダウンリンク共有チャネル（Ｐｈｙｓｉｃａｌ  Ｄｏｗｎｌｉｎｋ  Ｓｈａｒｅｄ  Ｃｈａｎｎｅｌ、ＰＤＳＣＨ）のデコードに関するものである。端末は、ＭＩＢ内のパラメータを用いてＰＤＳＣＨ上のデータをデコードし続け、ＭＩＢをデコードした後のみＳＩＢを取得することができる。したがって、同期信号ブロック（Ｓｙｎｃｈｒｏｎｉｚａｔｉｏｎ  Ｓｉｇｎａｌ  Ｂｌｏｃｋ、ＳＳＢ）において搬送される異なる情報に基づいて、ＳＳＢは３つのタイプのＳＳＢに分類され得る。
【手続補正７】
【補正対象書類名】明細書
【補正対象項目名】００８０
【補正方法】変更
【補正の内容】
【００８０】
端末は、測定結果に基づいて、測定対象と関連付けられる測定イベントがトリガされるか否かを判定する。
【手続補正８】
【補正対象書類名】明細書
【補正対象項目名】００９５
【補正方法】変更
【補正の内容】
【００９５】
ＳＳＢの第３タイプと関連付けられる第３タイプのセルについて、ネットワークデバイスはこのタイプのセルにおいてシステム情報を送信しておらず、端末は、このタイプのセルのセルグローバル識別子を学習することができないことが上述から分かり得る。しかしながら、図７は、先行技術において自動隣接関係の概略図である。図７に示されるように、端末は、セルＡにサービス提供する基地局１にセルＢの検出された物理セル識別子ＰＣＩを送信している。ここで、ＰＣＩは１５である。端末により送信されたセルＢの１５のＰＣＩを識別できないと判定した場合、基地局１は、１５のＰＣＩに対応するセルグローバル識別子を取得して報告するように端末に示す。端末は、セルＢのブロードキャストチャネル上で搬送されるコンテンツを読み取ることにより、セルＢのＳＩＢ１の位置情報を取得し、位置情報に基づいてＳＩＢ１のコンテンツを取得して、１５のＰＣＩに対応するセルグローバル識別子１９を取得する。端末は、１５のＰＣＩに対応するセルグローバル識別子１９を基地局１に報告してよく、その結果、基地局１は、１５のＰＣＩと１９のＣＧＩとの間の対応関係を学習する。自動隣接関係において、端末により検出されるセルＢが上述した第３タイプのセルである場合、どのように処理を実行するかが、解決されるべき緊急の課題であることが分かり得る。
【手続補正９】
【補正対象書類名】明細書
【補正対象項目名】０１１１
【補正方法】変更
【補正の内容】
【０１１１】
図９は、本出願の実施形態に係る同期信号ブロックの分散の概略図である。図９に示されるように、グローバル同期チャネル番号（Ｇｌｏｂａｌ  ｓｙｎｃｈｒｏｎｉｚａｔｉｏｎ  ｃｈａｎｎｅｌ  ｎｕｍｂｅｒ、ＧＳＣＮ）により示される同期信号ブロックはくし型に分散される。本願の実施形態において提供される情報処理方法に基づいて、ＡＮＲプロセスでは、周波数Ｆ２のＧＳＣＮ２の同期信号ブロックに基づいてセルのセルグローバル識別子を取得できなかった場合、端末は、ＧＳＣＮ２の同期信号ブロックにおけるブロードキャストチャネル上で搬送される位置情報に基づいて周波数Ｆ４のＧＳＣＮ３の同期信号ブロックを同期させ、ＧＳＣＮ３の同期信号ブロックに基づいてセルグローバル識別子を取得してよい。
【手続補正１０】
【補正対象書類名】明細書
【補正対象項目名】０１１２
【補正方法】変更
【補正の内容】
【０１１２】
図９に示されるように、同期チャネル読み取りが実行されている際の周波数のＧＳＣＮはくし型に分散される。３つのＧＳＣＮごとに１つのグループを形成し、２つのグループごとの間の間隔は９００ｋＨｚである。しかしながら、１つのグループ内にあり、くし型に分散された３つのＧＳＣＮ間の間隔は、非常に狭く、たった５ｋＨｚである。しかしながら、同期チャネルは、３６００ｋＨｚの帯域幅を有する。この方法では、たとえ端末がネットワークにより用いられるＧＳＣＮと協調されていないとしても、端末は、関連する同期信号ブロックをさらに受信し得る。例えば、たとえネットワークがＧＳＣＮ１で同期信号を実際に送信したとしても、端末は、ＧＳＣＮ２に対応する周波数上で同期信号を探索することにより同期信号をさらに見つけ得る。しかしながら、端末は、ネットワークがＧＳＣＮ１において同期信号ブロックを実際に送信したことを知らない。この問題を解決するために、ネットワーク内でブロードキャストするために周波数オフセット情報が追加される。同期チャネルを見つけた後に、端末は同期チャネルに対応するブロードキャストチャネルを読み取る。ブロードキャストチャネルはオフセット値を示し、端末はオフセット値に基づいて現在のセルの同期チャネルの実際の中央周波数の位置を判定する。例えば、ネットワーク内のＧＳＣＮ１において同期信号が送信された場合、ブロードキャストにおいてブロードキャストされるのに−５ｋＨｚのオフセットが必要である。端末がＧＳＣＮ１、ＧＳＣＮ２又はＧＳＣＮ３において同期信号を探しているか否かにかかわらず、端末は当該信号を見つけてよい。同期信号と関連付けられるブロードキャスト信号を読み取った後に、ＵＥは、同期信号の実際の位置が−５ｋＨｚの位置であると判定し、ＧＳＣＮ１の位置を判定する。この場合、端末は周波数オフセット情報に基づいてセルの同期チャネルの実際の位置を判定し得る。したがって、上述した実施例では、端末は同期チャネルの実際の位置を判定し得る。
【手続補正１１】
【補正対象書類名】明細書
【補正対象項目名】０１５３
【補正方法】変更
【補正の内容】
【０１５３】
上述した方法における端末又はネットワークデバイスの段階を遂行するために、プロセッサ１１０は、メモリ１２０に格納されている命令を実行して、信号を受信するように受信器１３０を制御し、信号を送信するように送信器１４０を制御するように構成される。受信器１３０及び送信器１４０は、同じ物理エンティティ又は異なる物理エンティティであってよい。同じ物理エンティティである場合、受信器１３０及び送信器１４０は、まとめてトランシーバと称され得る。メモリ１２０は、プロセッサ１１０に統合されてよい、又は、プロセッサ１１０とは別箇に配置されてよい。
【手続補正１２】
【補正対象書類名】明細書
【補正対象項目名】０１６２
【補正方法】変更
【補正の内容】
【０１６２】
本願の実施形態における通信装置又は端末については、図１５に示されるデバイスを参照されたい。例では、デバイスは図１４におけるプロセッサの機能と同様の機能を実装してよい。図１５において、デバイスはプロセッサ、データ送信プロセッサ及びデータ受信プロセッサを含む。図１５において、処理ユニットは、プロセッサ９０１であってよく、対応する機能を完備する。送信ユニットは図１５のデータ送信プロセッサ９０３であってよく、受信ユニットは図１５のデータ受信プロセッサ９０５であってよい。図１５ではチャネルエンコーダ及びチャネルデコーダを示すが、モジュールは単なる例に過ぎず、本実施形態に対する限定を構成しないことが理解され得る。
【手続補正１３】
【補正対象書類名】明細書
【補正対象項目名】０１６６
【補正方法】変更
【補正の内容】
【０１６６】
本実施形態におけるネットワークデバイスについては、図１８に示されるデバイスを参照されたい。例では、デバイスは図１８におけるプロセッサの機能と同様の機能を実装してよい。図１８において、デバイスはプロセッサ、データ送信プロセッサ及びデータ受信プロセッサを含む。図１８において、処理ユニットは、プロセッサ１７０１であってよく、対応する機能を完備する。送信ユニットは図１８のデータ送信プロセッサ１７０３であってよく、受信ユニットは図１８のデータ受信プロセッサ１７０５であってよい。図１８ではチャネルエンコーダ及びチャネルデコーダを示すが、モジュールは単なる例に過ぎず、本実施形態に対する限定を構成しないことが理解され得る。
【手続補正１４】
【補正対象書類名】明細書
【補正対象項目名】０１８１
【補正方法】変更
【補正の内容】
【０１８１】
上述した実施形態のすべて又は一部は、ソフトウェア、ハードウェア、ファームウェア又はこれらの任意の組み合わせを用いて実装されてよい。実施形態を実装するためにソフトウェアが用いられる場合、実施形態は、コンピュータプログラム製品の形式で完全に又は部分的に実装されてよい。コンピュータプログラム製品は１つ又は複数のコンピュータ命令を含む。コンピュータプログラム命令がロードされ、コンピュータ上で実行される場合、本願に係る手順又は機能がすべて又は部分的に生成される。コンピュータは、汎用コンピュータ、専用コンピュータ、コンピュータネットワーク又は別のプログラマブル装置であってよい。コンピュータ命令は、コンピュータ可読記憶媒体に格納されてよい、又は、コンピュータ可読記憶媒体から別のコンピュータ可読記憶媒体に伝送されてよい。例えば、コンピュータ命令は、ウェブサイト、コンピュータ、サーバ又はデータセンタから、別のウェブサイト、コンピュータ、サーバ又はデータセンタに、有線（例えば、同軸ケーブル、光ファイバ又はデジタル加入者線）又は無線（例えば、赤外線、ラジオ又はマイクロ波）方式で伝送されてよい。コンピュータ可読記憶媒体は、サーバ又はデータセンタなどのコンピュータにアクセス可能な任意の使用可能な媒体又はデータストレージデバイスであってよく、１つ又は複数の使用可能な媒体を統合する。使用可能な媒体は、磁気媒体（例えば、フロッピーディスク、ハードディスク又は磁気テープ）、光媒体（例えば、ＤＶＤ）、又は、半導体媒体（例えば、ソリッドステートドライブ（Ｓｏｌｉｄ−Ｓｔａｔｅ Ｄｒｉｖｅ））などであってよい。
［項目１］
測定方法であって、
通信装置により、構成情報を受信する段階であって、上記構成情報はセルリスト及びインジケーション情報を有し、上記インジケーション情報は、測定イベントが上記セルリストによる影響を受けているか否かを示すために用いられる、段階と、
上記通信装置により、上記セルリスト及び上記インジケーション情報に基づいて測定評価を実行する段階と
を備える方法。
［項目２］
上記構成情報は測定対象及び測定イベント構成情報をさらに有し、上記測定対象は上記セルリストを有する測定対象であり、上記測定イベント構成情報において構成される上記測定イベントは上記測定対象と関連付けられる測定イベントである、項目１に記載の方法。
［項目３］
上記通信装置により、上記セルリスト及び上記インジケーション情報に基づいて測定評価を上記実行する段階は、
上記通信装置により、上記インジケーション情報に基づいて、上記測定対象と関連付けられる上記測定イベントが上記セルリストによる影響を受けているか否かを判定する段階と、
上記測定対象と関連付けられる上記測定イベントが上記セルリストによる影響を受けている場合、上記通信装置により、上記測定対象を測定して測定結果を取得し、上記測定結果から上記セルリストにあるセルの測定結果を除外する段階と、
上記通信装置により、上記測定結果に基づいて、上記測定対象と関連付けられる上記測定イベントがトリガされるか否かを判定する段階と
を有する、項目２に記載の方法。
［項目４］
上記方法は、
上記通信装置により、上記測定対象と関連付けられる上記測定イベントがトリガされる場合、測定報告において、上記セルリストにある上記セルを報告することを省略する段階をさらに備える、項目３に記載の方法。
［項目５］
上記測定イベント構成情報は上記インジケーション情報に含まれており、上記通信装置により、上記インジケーション情報に基づいて、上記測定対象と関連付けられる上記測定イベントが上記セルリストによる影響を受けているか否かを上記判定する段階は、
上記測定イベント構成情報が上記インジケーション情報を有している場合、上記通信装置により、上記測定対象と関連付けられる上記測定イベントが上記セルリストによる影響を受けていると判定する段階、又は、
上記測定イベント構成情報が上記インジケーション情報を有していない場合、上記通信装置により、上記測定対象と関連付けられる上記測定イベントが上記セルリストによる影響を受けていないと判定する段階
を有する、項目１又は２に記載の方法。
［項目６］
上記インジケーション情報は上記測定対象において構成され、上記通信装置により、上記インジケーション情報に基づいて、上記測定対象と関連付けられる上記測定イベントが上記セルリストによる影響を受けているか否かを上記判定する段階は、
上記測定対象と関連付けられる上記測定イベントが上記インジケーション情報により示されるタイプである場合、上記通信装置により、上記測定対象と関連付けられる上記測定イベントが上記セルリストによる影響を受けていると判定する段階、又は、
上記測定対象と関連付けられる上記測定イベントが上記インジケーション情報により示されるタイプではない場合、上記通信装置により、上記測定対象と関連付けられる上記測定イベントが上記セルリストによる影響を受けていないと判定する段階
を有する、項目１又は２に記載の方法。
［項目７］
上記セルリストにある上記セルは非独立セルであり、上記非独立セルは、システム情報が送信されないセルである、又は、システム情報の一部のみが送信されるセルである、項目１から６のいずれか一項に記載の方法。
［項目８］
上記セルリスト内の上記セルは、上記通信装置が接続再確立又は復旧を実行する場合に、上記通信装置により選択されるセルとして用いられない、項目７に記載の方法。
［項目９］
上記方法は、
上記通信装置により、要求メッセージを受信する段階であって、上記要求メッセージは第１周波数及び第１物理セル識別子ＰＣＩを有し、上記要求メッセージは第１セルのセルグローバル識別子を要求するために用いられ、上記第１セルは、周波数が上記第１周波数であり、かつ、上記第１ＰＣＩにより示されるセルである、段階と、
上記通信装置により、上記第１周波数及び上記第１ＰＣＩに基づいて、上記第１セルの同期信号ブロックを同期させる段階と、
上記第１セルの上記同期信号ブロックにおけるブロードキャストチャネル上のコンテンツに基づいて、上記第１セルがセルグローバル識別子を有していないと上記通信装置が判定した場合、上記通信装置により、位置情報と関連付けられる第２セルの第２ＰＣＩ及びセルグローバル識別子を取得する段階であって、上記位置情報は上記第１セルの上記同期信号ブロック内の上記ブロードキャストチャネルにおいて搬送され、上記位置情報と関連付けられる上記第２セルは、セルグローバル識別子が送信されるセルである、段階と
上記通信装置により、上記要求メッセージに対する応答メッセージを送信する段階であって、上記応答メッセージは、上記第１セルがセルグローバル識別子を有していないことに関する情報と、上記第２セルの周波数、上記第２ＰＣＩ及び上記セルグローバル識別子とを搬送する、段階と
をさらに備える、項目１から８のいずれか一項に記載の方法。
［項目１０］
測定方法であって、
ネットワークデバイスにより、構成情報を判定する段階であって、上記構成情報はセルリスト及びインジケーション情報を有し、上記インジケーション情報は、測定イベントが上記セルリストによる影響を受けているか否かを示すために用いられる、段階と、
上記ネットワークデバイスにより、上記構成情報を通信装置に送信する段階であって、上記構成情報は測定評価のために用いられる、段階と
を備える方法。
［項目１１］
上記構成情報は測定対象及び測定イベント構成情報をさらに有し、上記測定対象は上記セルリストを有する測定対象であり、上記測定イベント構成情報において構成される上記測定イベントは上記測定対象と関連付けられる測定イベントである、項目１０に記載の方法。
［項目１２］
上記インジケーション情報は上記測定イベント構成情報において構成され、上記測定イベント構成情報が上記インジケーション情報を有している場合、上記測定対象と関連付けられる上記測定イベントは上記セルリストによる影響を受けている、又は、上記測定イベント構成情報が上記インジケーション情報を有していない場合、上記測定対象と関連付けられる上記測定イベントは上記セルリストによる影響を受けていない、項目１１に記載の方法。
［項目１３］
上記インジケーション情報は上記測定対象において構成され、上記測定対象と関連付けられる上記測定イベントが上記インジケーション情報により示されるタイプである場合、上記測定対象と関連付けられる上記測定イベントは上記セルリストによる影響を受けている、又は、上記測定対象と関連付けられる上記測定イベントが上記インジケーション情報により示されるタイプではない場合、上記測定対象と関連付けられる上記測定イベントは上記セルリストによる影響を受けていない、項目１１に記載の方法。
［項目１４］
上記セルリストにあるセルは非独立セルであり、上記非独立セルは、システム情報が送信されないセルである、又は、システム情報の一部のみが送信されるセルである、項目１０から１３のいずれか一項に記載の方法。
［項目１５］
上記方法は、
上記ネットワークデバイスにより、要求メッセージを送信する段階であって、上記要求メッセージは上記第１周波数及び上記第１ＰＣＩを有し、上記要求メッセージは上記第１セルのセルグローバル識別子を要求するために用いられ、上記第１セルは、周波数が上記第１周波数であり、かつ、上記第１ＰＣＩにより示されるセルである、段階と、
上記ネットワークデバイスにより、上記要求メッセージに対して返される応答メッセージを受信する段階であって、上記第１セルがセルグローバル識別子を有していない場合、上記応答メッセージは、上記第１セルがセルグローバル識別子を有していないことに関する情報と、上記第１セルと関連付けられる第２セルの周波数、第２ＰＣＩ及びセルグローバル識別子とを搬送する、段階と
をさらに備える、項目１０から１４のいずれか一項に記載の方法。
［項目１６］
測定装置であって、
構成情報を受信するように構成される通信モジュールであって、上記構成情報はセルリスト及びインジケーション情報を有し、上記インジケーション情報は、測定イベントが上記セルリストによる影響を受けているか否かを示すために用いられる、通信モジュールと、
上記セルリスト及び上記インジケーション情報に基づいて測定評価を実行するように構成される処理モジュールと
を備える装置。
［項目１７］
上記構成情報は測定対象及び測定イベント構成情報をさらに有し、上記測定対象は上記セルリストを有する測定対象であり、上記測定イベント構成情報において構成される上記測定イベントは上記測定対象と関連付けられる測定イベントである、項目１６に記載の装置。
［項目１８］
上記処理モジュールにより、上記セルリスト及び上記インジケーション情報に基づいて上記測定評価を実行することは、具体的には、
上記インジケーション情報に基づいて、上記測定対象と関連付けられる上記測定イベントが上記セルリストによる影響を受けているか否かを判定し、
上記測定対象と関連付けられる上記測定イベントが上記セルリストによる影響を受けている場合、上記測定対象を測定して測定結果を取得し、上記測定結果から上記セルリストにあるセルの測定結果を除外し、
上記測定結果に基づいて、上記測定対象と関連付けられる上記測定イベントがトリガされるか否かを判定する、項目１７に記載の装置。
［項目１９］
上記通信モジュールは、さらに、上記測定対象と関連付けられる上記測定イベントがトリガされる場合、測定報告において、上記セルリストにある上記セルを報告することを省略するように構成される、項目１８に記載の装置。
［項目２０］
上記インジケーション情報は上記測定イベント構成情報に含まれており、上記通信モジュールにより、上記インジケーション情報に基づいて、上記測定対象と関連付けられる上記測定イベントが上記セルリストによる影響を受けているか否かを判定することは、具体的には、
上記測定イベント構成情報が上記インジケーション情報を有している場合、上記測定対象と関連付けられる上記測定イベントが上記セルリストによる影響を受けていると判定する、又は、
上記測定イベント構成情報が上記インジケーション情報を有していない場合、上記測定対象と関連付けられる上記測定イベントが上記セルリストによる影響を受けていないと判定する、項目１６又は１７に記載の装置。
［項目２１］
上記インジケーション情報は上記測定対象において構成され、上記通信モジュールにより、上記インジケーション情報に基づいて、上記測定対象と関連付けられる上記測定イベントが上記セルリストによる影響を受けているか否かを判定することは、具体的には、
上記測定対象と関連付けられる上記測定イベントが上記インジケーション情報により示されるタイプである場合、上記測定対象と関連付けられる上記測定イベントが上記セルリストによる影響を受けていると判定する、又は、
上記測定対象と関連付けられる上記測定イベントが上記インジケーション情報により示されるタイプではない場合、上記測定対象と関連付けられる上記測定イベントは上記セルリストによる影響を受けていないと判定する、項目１６又は１７に記載の装置。
［項目２２］
上記セルリストにある上記セルは非独立セルであり、上記非独立セルは、システム情報が送信されないセルである、又は、システム情報の一部のみが送信されるセルである、項目１６から１８のいずれか一項に記載の装置。
［項目２３］
上記セルリストにある上記セルは、接続再確立又は復旧を実行する場合に、上記通信装置により選択されるセルとして用いられない、項目２２に記載の装置。
［項目２４］
上記通信モジュールは、さらに、要求メッセージを受信するように構成され、上記要求メッセージは第１周波数及び第１物理セル識別子ＰＣＩを有し、上記要求メッセージは第１セルのセルグローバル識別子を要求するために用いられ、上記第１セルは、周波数が上記第１周波数であり、かつ、上記第１ＰＣＩにより示されるセルであり、
上記処理モジュールは、さらに、上記第１周波数及び上記第１ＰＣＩに基づいて、上記第１セルの同期信号ブロックを同期させるように構成され、
上記処理モジュールは、さらに、上記第１セルの上記同期信号ブロックにおけるブロードキャストチャネル上のコンテンツに基づいて、上記第１セルがセルグローバル識別子を有していないと判定した場合、位置情報と関連付けられる第２セルの第２ＰＣＩ及びセルグローバル識別子を取得するように構成され、上記位置情報は上記第１セルの上記同期信号ブロック内の上記ブロードキャストチャネルにおいて搬送され、上記位置情報と関連付けられる上記第２セルは、セルグローバル識別子が送信されるセルであり、
上記通信モジュールは、さらに、上記要求メッセージに対する応答メッセージを送信するように構成され、上記応答メッセージは、上記第１セルがセルグローバル識別子を有していないことに関する情報と、上記第２セルの周波数、上記第２ＰＣＩ及び上記セルグローバル識別子とを搬送する、項目１６から２３のいずれか一項に記載の装置。
［項目２５］
測定装置であって、
構成情報を判定するように構成される処理モジュールであって、上記構成情報はセルリスト及びインジケーション情報を有し、上記インジケーション情報は、測定イベントが上記セルリストによる影響を受けているか否かを示すために用いられる、処理モジュールと、
上記構成情報を通信装置に送信するように構成される通信モジュールであって、上記構成情報は測定評価のために用いられる、通信モジュールと
を備える装置。
［項目２６］
上記構成情報は測定対象及び測定イベント構成情報をさらに有し、上記測定対象は上記セルリストを有する測定対象であり、上記測定イベント構成情報において構成される上記測定イベントは上記測定対象と関連付けられる測定イベントである、項目２５に記載の装置。
［項目２７］
上記インジケーション情報は上記測定イベント構成情報に含まれており、上記測定イベント構成情報が上記インジケーション情報を有している場合、上記測定対象と関連付けられる上記測定イベントは上記セルリストによる影響を受けている、又は、上記測定イベント構成情報が上記インジケーション情報を有していない場合、上記測定対象と関連付けられる上記測定イベントは上記セルリストによる影響を受けていない、項目２６に記載の装置。
［項目２８］
上記インジケーション情報は上記測定対象において構成され、上記測定対象と関連付けられる上記測定イベントが上記インジケーション情報により示されるタイプである場合、上記測定対象と関連付けられる上記測定イベントは上記セルリストによる影響を受けている、又は、上記測定対象と関連付けられる上記測定イベントが上記インジケーション情報により示されるタイプではない場合、上記測定対象と関連付けられる上記測定イベントは上記セルリストによる影響を受けていない、項目２６に記載の装置。
［項目２９］
上記セルリストにあるセルは非独立セルであり、上記非独立セルは、システム情報が送信されないセルである、又は、システム情報の一部のみが送信されるセルである、項目２５から２８のいずれか一項に記載の装置。
［項目３０］
上記処理モジュールは、さらに、第１物理セル識別子ＰＣＩ及び上記第１ＰＣＩにより識別される第１セルの第１周波数を判定するように構成され、上記第１ＰＣＩ及び上記第１周波数は識別されることができず、
上記通信モジュールは、さらに、要求メッセージを送信するように構成され、上記要求メッセージは上記第１周波数及び上記第１ＰＣＩを有し、上記要求メッセージは上記第１セルのセルグローバル識別子を要求するために用いられ、上記第１セルは、周波数が上記第１周波数であり、かつ、上記第１ＰＣＩにより示されるセルであり、
上記通信モジュールは、さらに、上記要求メッセージに対して返される応答メッセージを受信するように構成され、上記第１セルがセルグローバル識別子を有していない場合、上記応答メッセージは、上記第１セルがセルグローバル識別子を有していないことに関する情報と、上記第１セルと関連付けられる第２セルの周波数、第２ＰＣＩ及びセルグローバル識別子とを搬送する、項目２６から２９のいずれか一項に記載の装置。
［項目３１］
コンピュータプログラムを格納するコンピュータ可読記憶媒体であって、プロセッサにより上記プログラムが実行される場合、項目１から９のいずれか一項に記載の通信方法が実施される、コンピュータ可読記憶媒体。
［項目３２］
コンピュータプログラムを格納するコンピュータ可読記憶媒体であって、プロセッサにより上記プログラムが実行される場合、項目１０から１５のいずれか一項に記載の通信方法が実施される、コンピュータ可読記憶媒体。
［項目３３］
メモリと、プロセッサと、上記メモリに格納され、上記プロセッサ上で実行できるプログラムとを備え、上記プロセッサが上記プログラムを実行する場合、項目１から９のいずれか一項に記載の通信方法が実施される、通信装置。
［項目３４］
メモリと、プロセッサと、上記メモリに格納され、上記プロセッサ上で実行できるプログラムとを備え、上記プロセッサが上記プログラムを実行する場合、項目１０から１５のいずれか一項に記載の通信方法が実施される、通信装置。